(57)【要約】【課題】ジョブ編集の際に頻繁な警告画面表示によって操作性を低下させない。【解決手段】画像形成するジョブについての編集を行う際に、操作部から入力されたジョブの編集に関する指示に基づいてジョブの編集をジョブ編集部１０１Ｊ１で実行し、前記操作部から前記ジョブについてのチェック指示を受けて、該ジョブが予め定められた禁則条件に該当するか否かをジョブ編集チェック部１０１Ｊ２がチェックし、該チェックの結果を前記表示部１０５に表示する。【選択図】図１
2011043889.tif 000002
【特許請求の範囲】
【請求項１】
画像形成するジョブについての編集を行うジョブ編集方法であって、
操作部から入力されたジョブの編集に関する指示に基づいてジョブの編集をジョブ編集部で実行し、
該ジョブが予め定められた禁則条件に該当するか否かをジョブ編集チェック部がチェックし、
前記操作部から前記ジョブについてのチェック指示を受けて、該チェックの結果を前記表示部に表示する、
ことを特徴とするジョブ編集方法。
【請求項２】
画像形成するジョブについての編集を行うジョブ編集装置であって、
ジョブの編集に関する指示の入力を受け付ける操作部と、
各種表示を行う表示部と、
前記操作部における入力に基づいてジョブの編集を実行するジョブ編集部と、
ジョブ編集において設定禁止として予め定められた禁則条件に該当するか否かをチェックするジョブ編集チェック部と、を備え、
前記ジョブ編集チェック部は、該ジョブについてのチェック指示を前記操作部から受けて、前記チェックの結果を前記表示部に表示させる、
ことを特徴とするジョブ編集装置。
【請求項３】
前記ジョブ編集部は、ジョブ内の各記録紙毎あるいは各頁毎にジョブの各種の編集を行える機能を有する、
ことを特徴とする請求項２記載のジョブ編集装置。
【請求項４】
前記ジョブ編集チェック部は、
前記チェック指示の有無にかかわらず、編集作業により生じる変更毎に前記チェックを行い、禁則条件に該当する場合には、禁則条件該当を示すアイコンを前記表示部に表示させる、
ことを特徴とする請求項２または３に記載のジョブ編集装置。
【請求項５】
前記ジョブ編集チェック部は、
ジョブ内で他の設定項目の編集によっても該当する状態を解除できない禁則条件については、編集作業により生じる変更毎に前記チェックを行って結果を表示し、
ジョブ内で他の設定項目の編集によって該当する状態を解除できる禁則条件については、前記操作部から前記チェック指示を受けて該ジョブが禁則条件に該当するか否かを表示する、
ことを特徴とする請求項２−４のいずれか一項に記載のジョブ編集装置。
【請求項６】
画像形成するジョブについての編集を行う画像形成装置であって、
ジョブの編集に関する指示の入力を受け付ける操作部と、
各種表示を行う表示部と、
前記操作部における入力に基づいてジョブの編集を実行するジョブ編集部と、
ジョブ編集において設定禁止として予め定められた禁則条件に該当するか否かをチェックするジョブ編集チェック部と、を備え、
前記ジョブ編集チェック部は、該ジョブについてのチェック指示を前記操作部から受けて、前記チェックの結果を前記表示部に表示させる、
ことを特徴とする画像形成装置。
【請求項７】
前記ジョブ編集部は、ジョブ内の各記録紙毎あるいは各頁毎にジョブの各種の編集を行える機能を有する、
ことを特徴とする請求項６記載の画像形成装置。
【請求項８】
前記ジョブ編集チェック部は、
前記チェック指示の有無にかかわらず、編集作業により生じる変更毎に前記チェックを行い、禁則条件に該当する場合には、禁則条件該当を示すアイコンを前記表示部に表示させる、
ことを特徴とする請求項６または７に記載の画像形成装置。
【請求項９】
前記ジョブ編集チェック部は、
ジョブ内で他の設定項目の編集によっても該当する状態を解除できない禁則条件については、編集作業により生じる変更毎に前記チェックを行って結果を表示し、
ジョブ内で他の設定項目の編集によって該当する状態を解除できる禁則条件については、前記操作部から前記チェック指示を受けて該ジョブが禁則条件に該当するか否かを表示する、
ことを特徴とする請求項６−８のいずれか一項に記載の画像形成装置。
【発明の詳細な説明】
【技術分野】
【０００１】
本発明は、ジョブ編集方法、ジョブ編集装置、および画像形成装置に関し、特に、禁則理由に合致した際のエラー処理の改良に関する。
【背景技術】
【０００２】
画像形成装置において、プリントすべき画像データの一連の頁の集合を画像形成ジョブ（以下、単に「ジョブ」と呼ぶ）として管理する機能を備えたものが存在している。
ここで、上記ジョブとしては、画像形成出力対象の画像データと、この画像データに対するジョブチケットを含む制御用データとを有している。なお、ジョブチケットとは、例えば、小冊子にして出力、ステイプル、パンチ穴開け、両面／片面印刷の別、用紙の選択、倍率、出力部数、画像のシフト量、スタンプの位置等、画像データに対する画像形成出力条件を規定するための制御用データである。
【０００３】
そして、この画像形成装置では、画像形成装置本体の操作部や、外部の遠隔操作用のコンピュータ端末装置等から入力される各種処理要求に基づいて、ジョブが作成・変更（以下、「編集」と称する）されて実行される。すなわち、画像形成装置内、あるいは、外部のコンピュータ端末装置から、ジョブを編集することが可能に構成されている。
【０００４】
なお、ジョブ編集においては、ジョブ編集プログラムにおいて、禁則条件と呼ばれる実行不能な条件に合致しないようになっているかを、編集作業中に各設定項目を変更する毎にチェックしていた。
【０００５】
すなわち、ジョブ編集中に各設定項目の変更をチェックしておいて、ステープル可能枚数より多い枚数でステープル処理が指定されたり、パンチ可能な紙厚を超えた用紙にパンチ処理が指定されたり、同じ位置にパンチとステープルとが指定されたりといったように、実行できない後処理が指定されたりした場合には、操作表示部にエラーを表示するようにしていた。これにより、編集によって実行不能なジョブを作成することが防止される。
【先行技術文献】
【特許文献】
【０００６】
【特許文献１】特開２０００―２２７８４７号公報
【特許文献２】特開２００８―１５２６６８号公報
【発明の概要】
【発明が解決しようとする課題】
【０００７】
従来の装置におけるジョブ編集においては、禁則条件と呼ばれる実行不能な条件に合致しないようになっているかを、編集作業中に各設定項目を変更する毎にチェックし、禁則条件に該当する場合は警告画面を表示するようにしていた。
【０００８】
なお、上記特許文献１では、他の項目の編集により解消可能な禁則条件であるか、他の項目を編集しても解消できない禁則条件であるか、を識別する表示をするようにしている。
【０００９】
また、上記特許文献２では、禁則条件に該当する機能を操作者が選択した場合には、該当する禁則条件の内容、禁則条件を解消可能な設定変更情報を表示部に表示するようにしている。
【００１０】
いずれにしても、従来のジョブ編集においては、編集中に禁則条件のチェックを行っているため、ジョブ編集の際に警告画面が頻繁に現れることになり、操作性が低下する恐れがあった。
【００１１】
また、近年、ジョブ内の各記録紙毎や各頁毎に細かく各設定項目の編集が可能なジョブ編集プログラムも存在している。この場合には、記録紙毎や頁毎の細かな編集によって、ジョブ内におけるそれまでの編集と相容れない編集を加える可能性があり、ジョブ編集の際に警告画面がより一層頻繁に現れることになり、操作性が低下する恐れがあった。
【００１２】
なお、このような禁則条件に該当する編集については、その編集を活かした状態であっても、他の設定項目を編集することで禁則条件を解除することが可能な場合もある。したがって、操作者は、後に他の設定項目の編集によって禁則を解除する予定で、あえて、禁則条件に該当する編集を加えることもありうる。しかし、このような警告画面が頻繁に現れすぎると、ジョブ編集の操作性が低下することにもつながる。
【００１３】
本発明の課題は、ジョブ編集の際の操作性を低下させることのない、ジョブ編集方法、ジョブ編集装置、および画像形成装置を実現することを目的とする。
【課題を解決するための手段】
【００１４】
上述した課題を解決する本願発明は、以下に述べる通りである。
（１）請求項１記載の発明は、画像形成するジョブについての編集を行うジョブ編集方法であって、操作部から入力されたジョブの編集に関する指示に基づいてジョブの編集をジョブ編集部で実行し、該ジョブが予め定められた禁則条件に該当するか否かをジョブ編集チェック部がチェックし、前記操作部から前記ジョブについてのチェック指示を受けて、該チェックの結果を前記表示部に表示する、ことを特徴とするジョブ編集方法である。
【００１５】
また、この発明は、画像形成するジョブについての編集を行うジョブ編集方法であって、操作部から入力されたジョブの編集に関する指示に基づいてジョブの編集をジョブ編集部で実行し、前記操作部から前記ジョブについてのチェック指示を受けて、該ジョブが予め定められた禁則条件に該当するか否かをジョブ編集チェック部がチェックし、該チェックの結果を前記表示部に表示する、ことを特徴とするジョブ編集方法である。
【００１６】
（２）請求項２記載の発明は、画像形成するジョブについての編集を行うジョブ編集装置であって、ジョブの編集に関する指示の入力を受け付ける操作部と、各種表示を行う表示部と、前記操作部における入力に基づいてジョブの編集を実行するジョブ編集部と、ジョブ編集において設定禁止として予め定められた禁則条件に該当するか否かをチェックするジョブ編集チェック部と、を備え、前記ジョブ編集チェック部は、該ジョブについてのチェック指示を前記操作部から受けて、前記チェックの結果を前記表示部に表示させる、ことを特徴とするジョブ編集装置である。
【００１７】
（３）請求項３記載の発明は、前記ジョブ編集部は、ジョブ内の各記録紙毎あるいは各頁毎にジョブの各種の編集を行える機能を有する、ことを特徴とする請求項２記載のジョブ編集装置である。
【００１８】
（４）請求項４記載の発明は、前記ジョブ編集チェック部は、前記チェック指示の有無にかかわらず、編集作業により生じる変更毎に前記チェックを行い、禁則条件に該当する場合には、禁則条件該当を示すアイコンを前記表示部に表示させる、ことを特徴とする請求項２または３に記載のジョブ編集装置である。
【００１９】
（５）請求項５記載の発明は、前記ジョブ編集チェック部は、ジョブ内で他の設定項目の編集によっても該当する状態を解除できない禁則条件については、編集作業により生じる変更毎に前記チェックを行って結果を表示し、ジョブ内で他の設定項目の編集によって該当する状態を解除できる禁則条件については、前記操作部から前記チェック指示を受けて該ジョブが禁則条件に該当するか否かを表示する、ことを特徴とする請求項２−４のいずれか一項に記載のジョブ編集装置である。
【００２０】
（６）請求項６記載の発明は、画像形成するジョブについての編集を行う画像形成装置であって、ジョブの編集に関する指示の入力を受け付ける操作部と、各種表示を行う表示部と、前記操作部における入力に基づいてジョブの編集を実行するジョブ編集部と、ジョブ編集において設定禁止として予め定められた禁則条件に該当するか否かをチェックするジョブ編集チェック部と、を備え、前記ジョブ編集チェック部は、該ジョブについてのチェック指示を前記操作部から受けて、前記チェックの結果を前記表示部に表示させる、ことを特徴とする画像形成装置である。
【００２１】
（７）請求項７記載の発明は、前記ジョブ編集部は、ジョブ内の各記録紙毎あるいは各頁毎にジョブの各種の編集を行える機能を有する、ことを特徴とする請求項６記載の画像形成装置である。
【００２２】
（８）請求項８記載の発明は、前記ジョブ編集チェック部は、前記チェック指示の有無にかかわらず、編集作業により生じる変更毎に前記チェックを行い、禁則条件に該当する場合には、禁則条件該当を示すアイコンを前記表示部に表示させる、ことを特徴とする請求項６または７に記載の画像形成装置である。
【００２３】
（９）請求項９記載の発明は、前記ジョブ編集チェック部は、ジョブ内で他の設定項目の編集によっても該当する状態を解除できない禁則条件については、編集作業により生じる変更毎に前記チェックを行って結果を表示し、ジョブ内で他の設定項目の編集によって該当する状態を解除できる禁則条件については、前記操作部から前記チェック指示を受けて該ジョブが禁則条件に該当するか否かを表示する、ことを特徴とする請求項６−８のいずれか一項に記載の画像形成装置である。
【発明の効果】
【００２４】
この発明では、画像形成するジョブについての編集を行う際に、操作部から入力されたジョブの編集に関する指示に基づいてジョブの編集をジョブ編集部で実行しており、操作部からジョブについてのチェック指示を受けてから、該ジョブが予め定められた禁則条件に該当するか否かのチェックの結果をまとめて表示部に表示する。
【００２５】
これにより、操作者の意図したタイミングでジョブについてのチェック結果をまとめて表示することで、各設定項目を編集中に禁則条件に該当したとしても警告画面が表示されることはなくなる。また、禁則条件に該当する編集操作については、その編集を活かした状態であっても、他の設定項目を編集することで禁則条件を解除することが可能な場合もあり、操作者は、後に他の設定項目の編集によって禁則を解除することが可能になる。
【００２６】
したがって、ジョブ編集の際の操作性を低下させることのない、ジョブ編集方法、ジョブ編集装置、および画像形成装置を実現することができる。
【図面の簡単な説明】
【００２７】
【図１】本発明の実施形態の概略構成を示す構成図である
【図２】本発明の実施形態の概略構成を示す構成図である
【図３】本発明の実施形態の動作を示すタイムチャートである。
【図４】本発明の実施形態を説明する説明図である。
【図５】本発明の実施形態を説明する説明図である。
【図６】本発明の実施形態を説明する説明図である。
【図７】本発明の実施形態を説明する説明図である。
【発明を実施するための形態】
【００２８】
以下、図面を参照して本発明のジョブ編集装置を実施するための形態（実施形態）を詳細に説明する。
〔構成〕
ここで、第一実施形態の第一例として、ジョブ編集装置を構成する画像形成装置１００の構成を、図１（ブロック図）に基づいて詳細に説明する。
【００２９】
なお、この実施形態の画像形成装置１００としては、各種の画像形成装置に適用が可能であるが、ここでは、ネットワークに接続された、スキャナ，複写機，プリンタ，ファクシミリ装置の機能を備えた複合機（ＭＦＰ）、あるいは複写機を具体例にして説明を続ける。
【００３０】
また、画像形成装置１００として既知であって、本実施形態の特徴的な動作や制御に直接に関係しない一般的な部分についての説明は省略してある。
図１に示す画像形成装置１００は、各部を制御すると共にジョブ編集部１０１Ｊ１とジョブ編集チェック部１０１Ｊ２とを備えた制御部１０１と、操作者が各種操作入力を行うと共に各種表示を行う操作表示部１０５、ジョブデータや各種データを記憶する記憶部１１０、原稿を読み取って画像データを生成するスキャナ１２０、画像形成すべき画像データに所定の画像処理を施す画像処理部１３０、画像データに基づいて用紙上に画像を形成するプリントエンジン１４０、画像形成された用紙に各種後処理を施すフィニッシャ１５０、を備えて構成されている。
【００３１】
ここで、制御部１０１、図示しないＣＰＵ（Central Processing Unit）、ＲＯＭ（Read Only Memory）、ＲＡＭ（Random Access Memory）等を備える。ここで、ＣＰＵは、ＲＡＭの所定領域をワークエリアとし、ＲＯＭに記憶されている各種プログラムを実行して、画像形成装置１００の各部を統括的に制御する。また、制御部１０１は、後述するように、図３のフローチャートに示すジョブ編集処理を実行する。
【００３２】
なお、この図１に示す例では、画像形成装置１００がジョブ編集方法を実施するジョブ編集装置を構成している。ここで、ジョブ編集部１０１Ｊ１とジョブ編集チェック部１０１Ｊ２とは、制御部１０１で動作するジョブ編集プログラム、あるいは、制御部１０１上のジョブ編集プロセッサにより実現される。
【００３３】
ここで、操作表示部１０５は、キーボード、マウス、タッチパネル等の入力デバイスを備え、入力される各種指示信号を制御部１０１に送信する。また、操作表示部１０５は、ＬＣＤ（Liquid Crystal Display）やＣＲＴ（Cathode Ray Tube）等の表示手段を備え、制御部１０１から入力される各種画像データを表示する。
【００３４】
また、記憶部１１０は、データの書き込み、消去、読み出しが自在に行えるＨＤＤ（Hard Disc Drive）やフラッシュメモリ等の記憶装置であり、固定的に設けたものであってもよいし、また、着脱自在に設けたものであってもよい。この記憶部１１０は、登録済みの一又は複数のジョブを含むジョブデータ（処理済み、処理中のジョブや、未処理のジョブを含む。）を格納する。さらに、記憶部１１０は、ジョブデータのジョブリストを格納する。このジョブリストは、制御部により編集（すなわち、作成及び変更）され、ジョブが追加されたり、処理が開始・終了される度に、リスト内容が更新される。記憶部１１０に格納されるジョブリストには最新のリスト内容が反映されている。
【００３５】
プリントエンジン１４０は、電子写真方式や各種方式の画像形成部や印刷装置であり、複写機やプリンタやファクシミリ装置などにおいて所定の用紙上に画像を形成して出力するものである。フィニッシャ１５０は、ステープル、パンチ、折り、綴じ、製本、スタック、など、画像形成された用紙に対して各種の後処理を施す後処理装置である。
【００３６】
また、第一実施形態の第二例として、画像形成装置１００と、ジョブ編集装置を構成する端末装置３００とを有する画像形成システムとの構成を、図２（ブロック図）に基づいて詳細に説明する。
【００３７】
図２に示す画像形成システム１では、画像形成装置１００と、端末装置３００とは、通信手段２００を介して通信可能に接続されている。この図２では、画像形成装置１００は、ジョブ編集部とジョブ編集チェック部とを有さないが、基本的に図１の画像形成装置１００と同様の構成である。
【００３８】
また、通信手段２００は、例えば、ＬＡＮ（Local Area Network）やＷＡＮ（Wide Area Network）等を想定するが、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ（CAble TeleVision）回線、光通信回線、無線通信回線等の各種通信回線を含むような構成であってもよい。
【００３９】
また、端末装置３００は、一般的なコンピュータ装置、あるいは、画像形成装置１００を制御可能な端末装置などであり、ジョブ編集部３０１Ｊ１と、ジョブ編集チェック部３０１Ｊ２とを備えて構成されている。
【００４０】
なお、この図２に示す例では、端末装置３００がジョブ編集方法を実施するジョブ編集装置を構成している。ここで、ジョブ編集部３０１Ｊ１とジョブ編集チェック部３０１Ｊ２とは、端末装置３００で動作するジョブ編集プログラム、あるいは、端末装置３００内のジョブ編集プロセッサにより実現される。
【００４１】
この端末３００は、図示されない各手段、すなわち、各部を制御すると共にジョブ編集部３０１Ｊ１とジョブ編集チェック部３０１Ｊ２とを備えた制御部と、操作者が各種操作入力を行うと共に各種表示を行う操作表示部、ジョブデータや各種データを記憶する記憶部、などを備えて構成されている。
【００４２】
〔動作〕
以下、図３のフローチャート、図４以降の画面説明図などを参照して、本実施形態のジョブ編集方法、ジョブ編集装置、画像形成装置、画像形成システムの動作を説明する。
【００４３】
ここで、ジョブは、画像形成出力対象の画像データと、この画像データに対するジョブチケットを含む制御用データとを有している。なお、ジョブチケットとは、例えば、小冊子にして出力、ステイプル、パンチ穴開け、両面／片面印刷の別、用紙の選択、倍率、出力部数、画像のシフト量、スタンプの位置等、画像データに対する画像形成出力条件を規定するための制御用データである。
【００４４】
なお、以下の説明では、図１の画像形成装置１００により、制御部１０１内のジョブ編集部１０１Ｊ１とジョブ編集チェック部１０１Ｊ２とによりジョブ編集を実施する場合を具体例にする。
【００４５】
〔動作（前半）〕
画像形成装置１００が動作している状態において、操作表示部１０５のメイン画面（図示せず）から、ジョブが指定され、そのジョブについての編集の指示が入力される。この指示を操作表示部１０５から受けた制御部１０１では、ジョブ編集部１０１Ｊ１により、指定されたジョブについての編集作業が開始される（図３中のステップＳ３０１）。
【００４６】
なお、この実施形態のジョブ編集においては、図７に示すページ選択画面により、ジョブ内の各頁の一覧表示のなかからジョブ編集を行う頁を選択し、シート毎（記録紙１枚毎、あるいは、記録紙の１枚毎の各面毎）に、図４−図６の編集画面を用いてジョブ編集を行うことが可能に構成されている。
【００４７】
そして、選択されたシート毎の編集において、図４に示す如く、操作表示部１０５からの入力により、用紙（サイズ、使用給紙トレイ、用紙種類、坪量）、印刷面（片／両）、処理設定（パンチ有無・数・位置、ステープル有無・数・位置、折り有無・数・位置・方向、綴じ有無、スタッカ使用有無、くるみ製本有無、排紙トレイ）、などの各種の項目を設定することが可能である。
【００４８】
この編集作業において、ジョブ編集チェック部１０１Ｊ２は、操作表示部１０５からの編集作業による入力が発生する毎に、ジョブに対する変更発生の有無を検知している（図３中のステップＳ３０２）。
【００４９】
操作表示部１０５から指示によるジョブへの何らかの変更がジョブ編集チェック部１０１Ｊ２によって検知されない場合には（図３中のステップＳ３０２でＮＯ）、エラーチェック釦の押下がなければ（図３中のステップＳ３０９でＮＯ）、ステップＳ３０１に戻って、ジョブ編集部１０１Ｊ１によるジョブ編集作業とジョブ編集チェック部１０１Ｊ２によるジョブ変更発生検知を繰り返す。
【００５０】
操作表示部１０５から指示によるジョブへの何らかの変更が、ジョブ編集チェック部１０１Ｊ２によって検知された場合には（図３中のステップＳ３０２でＹＥＳ）、検知された変更が禁則条件のエラーＡに該当するかをジョブ編集チェック部１０１Ｊ２が確認する（図３中のステップＳ３０３）。
【００５１】
「禁則条件」とは、ジョブの編集による設定項目により、ジョブの実行が不能となり、ジョブの実行が完了せずに停止してしまう条件を意味する。たとえば、ステープル可能枚数を超えた用紙に対するステープルの指定、同じトレイを指定しつつも異なる複数種類の用紙の指定、排紙トレイの可能サイズを超えた用紙の排紙指定、接続されていない後処理装置の機能を用いた後処理の指定、ジョブ内での異なるパンチ指定、などである。
【００５２】
「エラーＡ」とは、ジョブ内で他の設定項目の編集によっても該当する状態を解除できない禁則条件を意味する。すなわち、禁則条件に該当するに至った設定自体を解除しなければ解除できない禁則条件を意味する。たとえば、このエラーＡとしては、ステープル可能枚数を超えた用紙に対するステープルの指定、排紙トレイの可能サイズを超えた用紙の排紙指定、接続されていない後処理装置の機能を用いた後処理の指定、などがある。
【００５３】
「エラーＢ」とは、ジョブ内で他の設定項目の編集によって、該当する状態を解除できる禁則条件を意味する。すなわち、禁則条件に該当するに至った設定自体を有効にしつつも、他の設定項目を編集することで禁則状態を解除することが可能である。たとえば、このエラーＢとしては、同じトレイを指定しつつも異なる複数種類の用紙の指定、ジョブ内での異なるパンチ指定、などが該当する。
【００５４】
なお、ここに示したエラーＡ，エラーＢの内容は一例であり、その他、各種の禁則条件に該当する設定があり得る。
ここで、エラーＡの禁則条件の存在がジョブ編集チェック部１０１Ｊ２によって検知されない場合には（図３中のステップＳ３０４でＮＯ）、エラーチェック釦の押下がなければ（図３中のステップＳ３０９でＮＯ）エラーＢについてのチェックを行うことなく、ステップＳ３０１に戻って、ジョブ編集部１０１Ｊ１によるジョブ編集作業とジョブ編集チェック部１０１Ｊ２によるジョブ変更発生検知を繰り返す。
【００５５】
一方、エラーＡの禁則条件の存在がジョブ編集チェック部１０１Ｊ２によって検知された場合には（図３中のステップＳ３０４でＹＥＳ）、ジョブ編集チェック部１０１Ｊ２は、検知されたエラーＡ該当の設定項目（チェック結果）と、該当設定項目の解除メッセージとを操作表示部１０５の表示画面に表示する（図３中のステップＳ３０５）。
【００５６】
この場合、ジョブ編集チェック部１０１Ｊ２は、ジョブ編集部１０１Ｊ１によって編集されているジョブの編集画面に重畳する状態で、図５（ａ）のようなチェック結果（エラーＡ該当の設定項目）と設定解除メッセージとを操作表示部１０５の表示画面に表示することが望ましい。この図５（ａ）の具体例では、指定用紙の坪量によりパンチ不可であることと、ステープル可能枚数を超えていることの、２つのエラーＡ該当禁則条件が発生していることを例示している。
【００５７】
エラーＡに該当する設定項目の解除に同意する入力（図５の「はい」）が操作表示部１０５からなされた場合、ジョブ編集チェック部１０１Ｊ２は、該当する設定項目を解除する（図３中のステップＳ３０７）。この場合には、指定坪量の用紙におけるパンチ処理指定と、枚数制限を超えた用紙に対するステープル処理とを、ジョブ編集チェック部１０１Ｊ２は、「ｏｎ」から「ｏｆｆ」に変更する。そして、エラーチェック釦の押下がなければ（図３中のステップＳ３０９でＮＯ）エラーＢについてのチェックを行うことなく、ステップＳ３０１に戻って、ジョブ編集部１０１Ｊ１によるジョブ編集作業とジョブ編集チェック部１０１Ｊ２によるジョブ変更発生検知を繰り返す。
【００５８】
エラーＡに該当する設定項目の解除に同意しない入力（図５の「いいえ」、あるいは、画面を閉じる操作）が操作表示部１０５からなされた場合、ジョブ編集チェック部１０１Ｊ２は、該当する設定項目を有効にしたまま確定すると共に、ジョブ内で禁則状態を示すフラグを解除する（図３中のステップＳ３０８）。これにより、操作者の操作によって、禁則条件に該当する設定項目が有効となり、ジョブの実行開始が可能になる。そして、エラーチェック釦の押下がなければ（図３中のステップＳ３０９でＮＯ）エラーＢについてのチェックやチェック結果表示を行うことなく、ステップＳ３０１に戻って、ジョブ編集部１０１Ｊ１によるジョブ編集作業とジョブ編集チェック部１０１Ｊ２によるジョブ変更発生検知を繰り返す。
【００５９】
なお、ジョブ編集チェック部１０１Ｊ２は、以上のエラーＡの禁則条件に該当する設定項目について、一律ではなく、禁則条件Ａに該当した各項目毎に解除に応じるか否かを選択できるような表示画面を操作表示部１０５に表示し、操作者からの各項目毎の入力を受け付けるようにしてもよい。
【００６０】
なお、操作表示部１０５における図４の編集画面を介してジョブ編集部１０１Ｊ１によりジョブの編集がなされている間において、上述したように、ジョブ編集チェック部１０１Ｊ２はエラーＢについてのチェックやチェック結果表示は自動的には行っていない。
【００６１】
これにより、ジョブ内の各記録紙毎や各頁毎に細かく各設定項目の編集が可能なジョブ編集を行う際に、ジョブ内におけるそれまでの編集と相容れない編集を加えた場合であっても、その操作毎にエラーＢの禁則条件に該当する旨の警告画面が頻繁に現れることはなくなり、操作性の低下を予防することができる。
【００６２】
〔動作（後半）〕
操作表示部１０５における図４の編集画面を介してジョブ編集部１０１Ｊ１によりジョブの編集がなされている間において、上述したように、ジョブ編集チェック部１０１Ｊ２はエラーＢについてのチェックやチェック結果表示は自動的には行っていないが、図４（１）のエラーチェック釦が押下されると（図３中のステップＳ３０９でＹＥＳ）、ジョブ編集チェック部１０１Ｊ２は、ジョブ内の各シートに設定された各種の設定項目の全ての情報と画像形成装置１００の機器状態情報を収集する（図３中のステップＳ３１０）。ここで、画像形成装置１００の機器状態情報とは、各トレイに収納されている用紙種類、動作可能機能、フィニッシャ１５０での後処理可能機能など、画像形成および後処理などに関する各種の情報である。
【００６３】
そして、ジョブ編集チェック部１０１Ｊ２は、収集されたジョブについての各設定項目の情報と機器状態情報に基づいて、ジョブの実行を不能にする可能性の高い順位に従って、エラーＢの禁則条件に該当するか否かを確認し、このエラーＢについてのチェック結果を保存する（図３中のステップＳ３１１）。なお、ジョブ編集チェック部１０１Ｊ２は、エラーＢについての該当がなければ「該当無し」のステータスを保存し、エラーＢについての該当があれば該当設定項目と該当頁とを保存する。また、可能であれば、ジョブ編集チェック部１０１Ｊ２は、エラーＢについての解消案（同一トレイに複数種類用紙指定→用紙種類を統一）を、該当設定項目と共に保存してもよい。この場合、記憶部１１０などに、エラーＢの禁則条件とその解消案との情報が予めテーブル形式などで保存されていることが望ましい。
【００６４】
そして、ジョブ編集チェック部１０１Ｊ２は、エラーＢの禁則条件に該当する設定項目を操作表示部１０５に一覧表示する（図３中のステップＳ３１２）。また、ジョブ編集チェック部１０１Ｊ２は、エラーＢの禁則条件に関する解消案のテーブルを参照して、エラーＢの禁則条件に該当する設定項目と、その解消案とを操作表示部１０５に表示する。
【００６５】
この場合、ジョブ編集チェック部１０１Ｊ２は、ジョブ編集部１０１Ｊ１によって編集されているジョブの編集画面に重畳する状態で、図５（ｂ）のようなチェック結果（エラーＢ該当の設定項目）と解消案とを操作画面１０５に表示することが望ましい。この図５（ｂ）の具体例では、同一トレイに複数種類の用紙設定がなされていること、ジョブ内で異なるパンチの設定がなされていること、のエラーＢ該当禁則条件が発生していることを例示している。
【００６６】
これにより、ジョブ内の各記録紙毎や各頁毎に細かく各設定項目の編集が可能なジョブ編集を行う際に、ジョブ内におけるそれまでの編集と相容れない編集を加えた場合であっても、エラーチェック釦の押下が検知されてからエラーＢ該当禁則条件のチェック結果を表示しているため、その操作毎にエラーＢの禁則条件に該当する旨の警告画面が頻繁に現れることはなくなり、操作性の低下を予防することができる。
【００６７】
この図５（ｂ）のエラーＢの禁則条件合致設定項目についての表示が操作表示部１０５からの指示により閉じられると、図４の編集画面に戻り、図４（２）の確定釦が押下される（図３中のステップＳ３１３でＹＥＳ）となるまでは、ジョブ編集部１０１Ｊ１はジョブの編集を続行する（図３中のステップＳ３１３でＮＯ→ステップＳ３０１）。
【００６８】
なお、以上のエラーチェック釦押下後の編集では、操作表示部１０５における編集画面のいずれか編集に邪魔にならない位置に、ジョブ編集チェック部１０１Ｊ２が、エラーＢについてのチェック結果を表示し続けることも望ましい（図示せず）。これにより、その後の編集においてエラーＢの禁則条件を解消する編集が容易になる。
【００６９】
この後も、操作表示部１０５における図４の編集画面を介してジョブ編集部１０１Ｊ１によりジョブの編集がなされている間において、上述したように、ジョブ編集チェック部１０１Ｊ２は、エラーＢについてのチェックと結果表示とは自動的には行なわずに、図４（１）のエラーチェック釦が押下されると（図３中のステップＳ３０９でＹＥＳ）、ジョブ編集チェック部１０１Ｊ２は、ジョブ内の各シートに設定された各種の設定項目の全ての情報と画像形成装置１００の機器状態情報を収集し（図３中のステップＳ３１０）、エラーＢの禁則条件に該当するか否かを確認し、このエラーＢについてのチェック結果を保存し（図３中のステップＳ３１１）、エラーＢの禁則条件に該当する設定項目を操作表示部１０５に一覧表示する（図３中のステップＳ３１２）。
【００７０】
これにより、ジョブ内の各記録紙毎や各頁毎に細かく各設定項目の編集が可能なジョブ編集を行う際に、ジョブ内におけるそれまでの編集と相容れない編集を加えた場合であっても、その操作毎にエラーＢの禁則条件に該当する旨の警告画面が頻繁に現れることはなくなり、操作性の低下を予防することができる。
【００７１】
そして、操作表示部１０５の編集画面において、図４（２）の確定釦が押下される（図３中のステップＳ３１３でＹＥＳ）と、ジョブ編集部１０１Ｊ１は、編集されたジョブのデータ（画像データと制御データ）を確定し、該確定したジョブデータを記憶部１１０に保存する（図３中のステップＳ３１４）。なお、エラーＢの禁則条件が解消しない状態であっても、確定釦の押下があった場合には、ジョブ編集部１０１Ｊ１は編集されたジョブを確定してもよい。
【００７２】
この後、ジョブ編集部１０１Ｊ１はジョブ編集の各種処理を終了し、図４に示す編集画面を閉じ、制御部１０１に各種制御の権限を渡す。これにより、操作表示部１０５には、通常のメイン画面（図示せず）が表示される。
【００７３】
〔動作の変形例（１）〕
なお、操作表示部１０５における図４の編集画面を介してジョブ編集部１０１Ｊ１によりジョブの編集がなされている間に、ジョブ編集チェック部１０１Ｊ２は、エラーＢについてのチェックは行って、このエラーＢについてのチェック結果を保存しておき、図４（１）のエラーチェック釦が押下されてから、エラーＢの禁則条件に該当する設定項目を操作表示部１０５に一覧表示するようにしてもよい。
【００７４】
これにより、ジョブ内の各記録紙毎や各頁毎に細かく各設定項目の編集が可能なジョブ編集を行う際に、ジョブ内におけるそれまでの編集と相容れない編集を加えた場合であっても、その操作毎にエラーＢの禁則条件に該当する旨の警告画面が頻繁に現れることはなくなり、操作性の低下を予防することができる。
【００７５】
〔動作の変形例（２）〕
なお、以上の動作説明では、操作表示部１０５における図４の編集画面を介してジョブ編集部１０１Ｊ１によりジョブの編集がなされている間において、上述したように、ジョブ編集チェック部１０１Ｊ２はエラーＢについてのチェックは自動的には行っておらず、図４（１）のエラーチェック釦が押下されると（図３中のステップＳ３０９でＹＥＳ）、ジョブ編集チェック部１０１Ｊ２が、ジョブ内の各シートに設定された各種の設定項目の全ての情報と画像形成装置１００の機器状態情報を収集し（図３中のステップＳ３１０）、エラーＢの禁則条件についてのチェックを行い（図３中のステップＳ３１１）、エラーＢの禁則条件のチェック結果を操作表示部１０５に表示するようにしていた。
【００７６】
この場合、操作者による意図的なエラーチェック釦の押下によってエラーＢについてのチェックが実行されるため、ジョブ編集の操作毎にエラーＢの禁則条件に該当する旨の警告画面が頻繁に現れることはなくなり、操作性の低下を予防することができる効果が期待できる。その反面、エラーＢについてのチェックを忘れてしまう可能性もある。
【００７７】
そこで、ジョブ編集チェック部１０１Ｊ２は、ジョブの編集作業中に、編集操作毎、あるいは、一定時間、一定操作数毎などに、エラーＢの禁則条件に該当するか否かのチェックを行うようにしておく。そして、エラーＢの禁則条件該当する場合には、ジョブ編集チェック部１０１Ｊ２は、図６（ａ）に示す注意喚起表示のアイコン等によって、チェック結果のエラー内容は示さない状態で、エラーＢの禁則条件に該当することのみを操作表示部１０５に表示してもよい。この場合、エラーチェック釦の隣りに表示したが、他の位置であってもよい。また、ジョブ編集チェック部１０１Ｊ２は、エラーチェック釦そのものについて、色を変える、点滅させる、輝度を変える、などのようにして、エラーＢの存在を示して操作者の注意を喚起してもよい。
【００７８】
〔動作の変形例（３）〕
以上の実施形態の動作説明において、図７に示したように、シート毎に設定を変えられる状態でジョブ編集が可能な具体例を示した。この場合、シート毎に設定を変えられるため、各種の禁則条件に該当しやすいという原因があった。
【００７９】
しかし、シート毎に設定を変えられるようになっていないジョブ編集装置、ジョブ編集プログラムであっても、設定可能な項目の種類によって、各種の禁則条件に該当しやすくなる場合もある。したがって、シート毎に設定を変えられるようになっていないジョブ編集装置、ジョブ編集プログラムであっても、操作表示部１０５における編集画面を介してジョブ編集部１０１Ｊ１によりジョブの編集がなされている間において、ジョブ編集チェック部１０１Ｊ２はエラーＢについてのチェックは自動的には行わず、エラーチェック釦の押下によってエラーＢについてのチェックを実行するようにして、ジョブ内におけるそれまでの編集と相容れない編集を加えた場合であっても、その操作毎にエラーＢの禁則条件に該当する旨の警告画面が頻繁に現れないようにして、操作性の低下を予防することが可能である。
【００８０】
〔その他の構成（１）〕
以上の動作説明では、画像形成装置１００の制御部１０１内にジョブ編集部１０１Ｊ１とジョブ編集チェック部１０１Ｊ２とが存在するものとして説明してきた。この場合において、ジョブ編集部１０１Ｊ１とジョブ編集チェック部１０１Ｊ２とを分離せずに、チェック機能を備えたジョブ編集手段として構成することも可能である。
【００８１】
〔その他の構成（２）〕
以上の動作説明では、画像形成装置１００の制御部１０１内にジョブ編集部１０１Ｊ１とジョブ編集チェック部１０１Ｊ２とが存在するものとして説明してきた。これに対し、端末装置３００の制御部３０１内にジョブ編集部３０１Ｊ１とジョブ編集チェック部３０１Ｊ２とが存在する場合であっても、以上の説明と同様に、警告画面が頻繁に現れることなく効率的なジョブ編集が可能になる。また、この場合も、端末装置３００の制御部３０１内のジョブ編集部３０１Ｊ１とジョブ編集チェック部３０１Ｊ２とを分離せずに、チェック機能を備えたジョブ編集手段とすることが可能である。
【符号の説明】
【００８２】
１００  画像形成装置（ジョブ編集装置）
１０１  制御部
１０５  操作表示部
１１０  記憶部
１２０  スキャナ
１３０  画像処理部
１４０  プリントエンジン
１５０  フィニッシャ
【図１】
2011043889.tif 000003
【図２】
2011043889.tif 000004
【図３】
2011043889.tif 000005
【図４】
2011043889.tif 000006
【図５】
2011043889.tif 000007
【図６】
2011043889.tif 000008
【図７】
2011043889.tif 000009